(57)【要約】【課題】施工後の見栄えを良好に保ちつつ、呼び樋の取り付け角度を調整することができる集水器を提供する。【解決手段】本発明は、底面部２１と、底面部２１の前端から前斜め上方に向かって延出する前壁部２２と、底面部２１の後端から上方に向かって延出する後壁部２３とを備えた集水器１である。この集水器１は、底面部２１に設けられた貫通孔３１と、底面部２１の下面に設けられた接続部材４とを備えている。接続部材４には、後方に向かって開口し、貫通孔３１に連通する雨水流出口４１が設けられている。接続部材４は、前壁部２２の傾斜に沿った傾斜面４４により前面部４２が構成されている。さらに接続部材４は、底面部２１に対して鉛直軸廻りに回動するよう構成されている。【選択図】図１
2014058785.tif 000002
【特許請求の範囲】
【請求項１】
底面部と、底面部の前端から前斜め上方に向かって延出する前壁部と、底面部の後端から上方に向かって延出する後壁部とを備え、
左右方向の端部に軒樋が接続される集水器であって、
前記底面部に設けられた貫通孔と、
後方に向かって開口し且つ前記貫通孔に連通する雨水流出口を有し前記底面部の下面に設けられた接続部材と
を備え、
前記接続部材は、
前記前壁部の傾斜に沿った傾斜面により前面部が構成されており、前記底面部に対して鉛直軸廻りに回動するよう構成されている
ことを特徴とする集水器。
【発明の詳細な説明】
【技術分野】
【０００１】
本発明は、集水器に関する。
【背景技術】
【０００２】
特許文献１には、従来の集水器が開示されている。この特許文献１記載の集水器は、底面部と、前壁部と、後壁部とを備えている。前壁部は、底面部の前端から前斜め上方に向かって延出している。後壁部は、底面部の後端から上方に向かって延出している。この集水器は、正面視左右方向の端部に軒樋が接続される。
【０００３】
集水器の後壁部には、後方に向かって開口する排水口が設けられている。この排水口には、呼び樋が連通接続される。
【先行技術文献】
【特許文献】
【０００４】
【特許文献１】特開平０７−２９２８９４号公報
【発明の概要】
【発明が解決しようとする課題】
【０００５】
ところで特許文献１記載の集水器は、後方に向かって開口する排水口に呼び樋が接続されるため、呼び樋との接続部分を当該集水器の後側に隠すことができて、外観上、見栄えをよくすることができる。これに対し、底面部から下方に向かって開口する排水口が設けられた集水器であると、排水口にエルボ継手を接続する必要がある。この場合、集水器の下方から突出するエルボ継手の角部が、外観上、目立って見栄えが悪い。
【０００６】
ところが、特許文献１記載の集水器では、呼び樋の集水器に対する水平方向の取り付け角度を調整することができない。つまり、施工者は、特許文献１記載の集水器を用いると、呼び樋を軒樋に対して直角な方向にしか取り付けることができず、施工性が悪いという問題があった。
【０００７】
本発明は、上記事情に鑑みてなされたものであり、その目的とするところは、施工後の見栄えを良好に保ちつつ、呼び樋の水平方向の取り付け角度を調整することができる集水器を提供することにある。
【課題を解決するための手段】
【０００８】
本発明の集水器は、底面部と、底面部の前端から前斜め上方に向かって延出する前壁部と、底面部の後端から上方に向かって延出する後壁部とを備え、左右方向の端部に軒樋が接続される集水器であって、前記底面部に設けられた貫通孔と、後方に向かって開口し且つ前記貫通孔に連通する雨水流出口を有し前記底面部の下面に設けられた接続部材とを備え、前記接続部材は、前記前壁部の傾斜に沿った傾斜面により前面部が構成されており、前記底面部に対して鉛直軸廻りに回動するよう構成されていることを特徴とする。
【発明の効果】
【０００９】
本発明の集水器によれば、後方に向かって開口する雨水流出口に呼び樋を接続することができて、呼び樋との接続部分を目立たないものとすることができ、その上、接続部材が鉛直軸廻りに回動するため、呼び樋の水平方向の取り付け角度を変更することができる。しかも、接続部材の前面部が前壁部の傾斜に沿った傾斜面により構成されているため、全体として施工後の見栄えを良好にすることができる。
【００１０】
つまり、本発明の集水器によれば、施工後の見栄えを良好に保ちつつ、呼び樋の水平方向の取り付け角度を調整することができる。
【図面の簡単な説明】
【００１１】
【図１】本実施形態の集水器の斜視図である。
【図２】本実施形態の集水器本体の斜視図である。
【図３】本実施形態の接続部材の斜視図である。
【図４】本実施形態の集水器の斜視図である。
【発明を実施するための形態】
【００１２】
以下、本発明の実施形態について添付図面に基づいて説明する。
【００１３】
本実施形態の集水器１は、軒樋６に取り付けられ、呼び樋７を介して竪樋（図示せず）に連通接続される。集水器１は、集水器本体２と、接続部材４とを備えている。
【００１４】
集水器本体２は、底面部２１と、前壁部２２と、後壁部２３とを備えている。集水器本体２は、断面略Ｕ字状をしている。集水器本体２の断面形状は、軒樋６の断面形状と略同じ形状となっている。
【００１５】
底面部２１は、水平面により構成されている。底面部２１は、軒樋６の底面に沿って配置される。底面部２１は、前後方向に幅を有し、左右方向に長さを有している。底面部２１は、下方に凹没して軒樋６の底面よりも下方に位置してもよいし、軒樋６の底面と略同じレベルに位置していてもよい。
【００１６】
前壁部２２は、底面部２１の前端から前斜め上方に向かって延出している。前壁部２２は、左右方向に長さを有し、延出方向に幅を有している。前壁部２２の上端には、前耳部２４が設けられている。前耳部２４は、前壁部２２の長さ方向の略全長に亙って設けられている。また、前壁部２２は、前方に向かって凸曲している。
【００１７】
なお、前壁部２２は、凸曲していなくてもよく、例えば、断面直線状であってもよい。
【００１８】
後壁部２３は、底面部２１の後端から上方に向かって延出している。後壁部２３は、上下方向に幅を有し、左右方向に長さを有している。後壁部２３の上端には、後耳部２５が設けられている。後耳部２５は、後壁部２３の長さ方向の略全長に亙って設けられている。
【００１９】
底面部２１の下面には、図２に示すように、下方に向かって突出する筒状部３が設けられている。筒状部３の内部は、貫通孔３１となっている。貫通孔３１は、底面部２１を上下方向に貫通する。
【００２０】
筒状部３は、底面視扇型形状をしている。筒状部３は、前側円弧部３２と、後側円弧部３３と、第一側面部３４と第二側面部３５とを備えている。前側円弧部３２の中心軸と、後側円弧部３３の中心軸とは、略同じ位置に位置している。この中心軸は、後壁部２３よりも後方に位置している。第一側面部３４は、正面視左側に位置している。第一側面部３４は、後方側の端部を中心軸方向に伸ばすと、前側円弧部３２および後側円弧部３３の中心軸を通る。第二側面部３５は、正面視右側に位置している。第二側面部３５は、後方側の端部を中心軸方向に伸ばすと、前側円弧部３２および後側円弧部３３の中心軸を通る。
【００２１】
筒状部３には、係止部３６が設けられている。係止部３６は、前側突条３７と、後側突条（図示せず）とを備えている。前側突条３７は、前側円弧部３２の外周面に設けられている。前側突条３７は、前側円弧部３２の周方向の略全長に亙って設けられている。前側突条３７は、径方向の外側（径外方向）に向かって突出している。また、後側突条は、後側円弧部３３の内周面（後方側の外面）に設けられている。後側突条は、後側円弧部３３の周方向の略全長に亙って設けられている。後側突条は、径方向の内側（径内方向）に向かって突出している。
【００２２】
接続部材４は、集水器本体２の底面部２１の下面に回動自在に取り付けられている。接続部材４は、鉛直軸廻りに回動するよう構成されている。接続部材４は、図３に示すように、後方に向かって開口する雨水流出口４１と、上方に向かって開口する流入口５とを備えている。
【００２３】
接続部材４は、図４に示すように、断面台形形状をした箱形状をしている。接続部材４は、前側鉛直面４３と、前側鉛直面４３から後斜め下方に向かって延出した傾斜面４４と、左右両側面４５と、上面４６と、後側鉛直面４７とから構成されている。本実施形態の接続部材４は、前面部４２として、前側鉛直面４３と、傾斜面４４とを有している。言い換えると、前面部４２は、傾斜面４４により構成されている。なお、前面部４２は、集水器１が軒樋６に設置された状態で、前方側を向く部分として定義される。
【００２４】
接続部材４の傾斜面４４は、集水器本体２の前壁部２２の傾斜に沿うように形成されている。なお、この傾斜面４４の勾配は、集水器本体２の前壁部２２の傾斜の勾配とはやや異なっているが、同じ勾配であってもよい。
【００２５】
接続部材４の上面４６には、流入口５が形成されている。流入口５は、扇型形状をしている。流入口５は、前側の円弧を形成する前側開口縁部５１と、後側の円弧を形成する後側開口縁部５２と、左側開口縁部５３と、右側開口縁部５４とにより構成されている。前側開口縁部５１の中心軸と、後側開口縁部５２の中心軸とは、略同じ位置に位置している。この中心軸は、後壁部２３よりも後方に位置している。前側開口縁部５１は、筒状部３の前側円弧部３２と略同じ曲率となっている。また、後側開口縁部５２は、筒状部３の後側円弧部３３と略同じ曲率となっている。
【００２６】
流入口５には、筒状部３の係止部３６に係合する被係止部５５が設けられている。係止部３６は、被係止部５５に対し、水平方向にスライド移動自在な状態で、上下方向に係止するようになっている。被係止部５５は、前側溝部５７と、後側溝部５９とを備えている。
【００２７】
前側溝部５７は、前側ガイド部５６に設けられている。前側ガイド部５６は、前側開口縁部５１の全長に亙って設けられている。前側ガイド部５６は、上方に向かって突出している。前側溝部５７は、前側ガイド部５６の内周面に設けられている。この前側溝部５７には、筒状部３の前側突条３７がスライド移動自在に嵌め込まれる。
【００２８】
後側溝部５９は、後側ガイド部５８に設けられている。後側ガイド部５８は、後側開口縁部５２の全長に亙って設けられている。後側ガイド部５８は、上方に向かって突出している。後側溝部５９は、後側ガイド部５８の外周面（前方側の側面）に設けられている。この後側溝部５９には、筒状部３の後側突条がスライド移動自在に嵌め込まれる。
【００２９】
接続部材４の後側鉛直面４７には、雨水流出口４１が設けられている。雨水流出口４１は、流入口５に連通している。雨水流出口４１は、後方に向かって開口している。雨水流出口４１は、接続部材４が集水器本体２に取り付けられると、集水器本体２の貫通孔３１に連通するようになっている。
【００３０】
接続部材４の流入口５には、集水器本体２の筒状部３が嵌め込まれる。接続部材４の流入口５に集水器本体２の筒状部３が嵌め込まれると、前側ガイド部５６の前側溝部５７に筒状部３の前側突条３７が嵌め込まれ、後側ガイド部５８の後側溝部５９に筒状部３の後側突条が嵌め込まれる。これにより、接続部材４は、図４に示すように、集水器本体２に対し、上下方向に移動規制された状態で、水平方向に回動自在となっている。
【００３１】
このような構成の集水器１には、図１に示すように、軒樋６が接続される。集水器１の左右方向の両端部は、それぞれ側方に開口している。集水器１の両端部には、軒樋６が上方から差し込まれることで、当該軒樋６が接続される。
【００３２】
なお、軒樋６は、集水器１の両端部に接続されてもよいし、左右方向のうちの一方側の端部のみに接続されてもよい。一方側の端部のみに軒樋６が接続される場合、他方側の端部は開口しない。
【００３３】
集水器１に軒樋６が接続されると、軒樋６の側壁の外側に、集水器本体２の底面部２１・前壁部２２・後壁部２３が重ねられる。これにより、集水器１は軒樋６の長手方向の一部に取り付けられる。
【００３４】
集水器１の雨水流出口４１には、呼び樋７が接続される。呼び樋７は、竪樋に連通接続される。呼び樋７は、例えば、断面略矩形状の角樋や、断面円形状の丸樋などが挙げられる。なお、呼び樋７の形状は特に限定されない。
【００３５】
以上説明したように、本実施形態の集水器１は、底面部２１と、前壁部２２と、後壁部２３とを備えている。前壁部２２は、底面部２１の前端から前斜め上方に向かって延出する。後壁部２３は、底面部２１の後端から上方に向かって延出する。集水器１は、左右方向の端部に軒樋６が接続される。また、集水器１は、貫通孔３１と、接続部材４とを備えている。貫通孔３１は、底面部２１に設けられている。接続部材４は、後方に向かって開口しており、また、貫通孔３１に連通する雨水流出口４１を有している。接続部材４は、底面部２１の下面に設けられている。接続部材４は、前壁部２２の傾斜に沿った傾斜面４４により前面部４２が構成されている。また、接続部材４は、底面部２１に対して鉛直軸廻りに回動するよう構成されている。
【００３６】
本実施形態の集水器１は、後方に向かって開口する雨水流出口４１に呼び樋７を接続することができるため、呼び樋７との接続部分を目立たないようにすることができる。しかも、本実施形態の集水器１は、接続部材４が鉛直軸廻りに回動するため、呼び樋７の水平方向の取り付け角度を変更することができる。これにより、集水器１の位置と、竪樋との位置とが、軒樋６の長手方向にずれていたとしても、施工者は、呼び樋７の角度を簡単に調整することができる。
【００３７】
また、本実施形態の集水器１は、接続部材４の前面部４２が前壁部２２の傾斜に沿った傾斜面４４により構成されているため、接続部材４を目立たないようにできる。これにより、本実施形態の集水器１によれば、集水器本体２からの突出部分をできるだけ目立たないようにでき、建物の外観を良好にすることができる。
【符号の説明】
【００３８】
１      集水器
２      集水器本体
２１    底面部
２２    前壁部
２３    後壁部
３      筒状部
３１    貫通孔
３６    係止部
４      接続部材
４１    雨水流出口
４２    前面部
４４    傾斜面
５５    被係止部
【図１】
2014058785.tif 000003
【図２】
2014058785.tif 000004
【図３】
2014058785.tif 000005
【図４】
2014058785.tif 000006